(57)【要約】【課題】本発明は間引き処理での線画部の線切れを適切に防止する画像処理装置を提供する。【解決手段】デジタル複写装置１は、原稿を読み取った画像データをデジタル変換したデジタル画像データに対して、画像処理として、少なくとも当該画像データの副走査方向に画素を間引く間引き処理を施す際に、まず、線切れ処理回路６０の１×ｎサイズ画像マトリクス生成部６１で、画像データに対して、１×ｎサイズの画像マトリクスを組んで、閾値比較部６２で、当該画像マトリクス内で画像データの注目画素を予め設定された上限閾値及び下限閾値と比較して、線画部判定部６３で、線画のエッジの有無を検出して、当該注目画素が線画部の一部であるか否かを判定し、当該線画部と判定した画像部位に対して、線切れ防止処理部６４で、線切れ防止の画像処理を行う。【選択図】          図２
2005027017.tif 000002
【特許請求の範囲】
【請求項１】
原稿を読取手段で主走査及び副走査して読み取った当該原稿の画像データをデジタル変換したデジタル画像データに対して、画像処理として、少なくとも当該画像データの副走査方向に画素を間引く間引き処理を施す画像処理装置において、前記間引きを行う際に、前記画像データに対して、１×ｎサイズの画像マトリクスを組んで、当該画像マトリクス内で前記画像データの注目画素を予め設定された上限閾値及び下限閾値と比較して線画のエッジの有無を検出して、当該注目画素が線画部の一部であるか否かを判定する線画部検知手段と、当該線画部検知手段が線画部と判定した画像部位に対して線切れ防止の画像処理を行う線切れ防止手段と、を備えていることを特徴とする画像処理装置。
【請求項２】
前記線画部検知手段は、前記判定対象の画像データに対する前記間引き処理の間引き割合がｍ／ｎ（ただし、ｍ＜ｎ）であると、当該画像データに対して組む前記画像マトリクスのサイズを、１×ｎサイズとして、当該判定対象の画像データに対する前記間引き処理の間引き割合に応じて、当該画像データに対して組む前記画像マトリクスのサイズを変更することを特徴とする請求項１記載の画像処理装置。
【請求項３】
前記線切れ防止手段は、前記線画部検知手段が、注目画素が線画部の一部であると判定し、かつ、当該注目画素が間引き対象の画素であると、当該注目画素のデータ値と次ラインの同じ位置の画素のデータ値とを比較し、当該注目画素のデータ値が次ラインの画素のデータ値よりも濃度の濃いデータ値であると、当該次ラインの画素のデータ値を当該注目画素のデータ値で置き換えることを特徴とする請求項１または請求項２記載の画像処理装置。
【発明の詳細な説明】
【０００１】
【発明の属する技術分野】
本発明は、画像処理装置に関し、詳細には、間引き処理での線画部の線切れを適切に防止する画像処理装置に関する。
【０００２】
【従来の技術】
【特許文献１】
特開２００１−６９３３８号公報
デジタル複写装置、デジタルファクシミリ装置、デジタルスキャナ装置、デジタルプリンタ等のデジタル画像処理装置においては、入力される画像データに対して種々の画像処理を行うが、この画像処理としては、例えば、網点処理が行われ、この網点処理では、網点ピッチとデジタル画像の画素ピッチとの比が整数比の関係にない場合に、「線切れ」現象が発生する。
【０００３】
そこで、従来、原画像を所定方向に縮小して縮小画像を生成し、得られた縮小画像について前記所定方向に直交する方向（直交方向）において特定濃度領域を細らせる処理を行うことにより第１処理画像を生成し、得られた第１処理画像について直交方向において特定濃度領域を太らせる処理を行うことにより第２処理画像を生成し、縮小画像と第２処理画像との差分をとって生成された差分画像の各画素値により細線の存在の程度を検出して、細線の検出結果に基づいて、線切れが発生しそうな領域に対して選択的にぼかしなどの所定のフィルタ処理を行う画像処理装置が提案されている（特許文献１参照）。
【０００４】
【発明が解決しようとする課題】
しかしながら、従来技術にあっては、画像に縮小処理を行った際には線切れ防止の効果が十分でない場合があり、また、線切れ防止処理として画像データの平均化処理を行っているため、細線の太さによっては、線切れを十分には防止することができないという問題があった。
【０００５】
そこで、請求項１記載の発明は、原稿を読取手段で主走査及び副走査して読み取った当該原稿の画像データをデジタル変換したデジタル画像データに対して、画像処理として、少なくとも当該画像データの副走査方向に画素を間引く間引き処理を施すに際して、線画部検知手段で、画像データに対して、１×ｎサイズの画像マトリクスを組んで、当該画像マトリクス内で画像データの注目画素を予め設定された上限閾値及び下限閾値と比較して線画のエッジの有無を検出して、当該注目画素が線画部の一部であるか否かを判定し、当該線画部と判定した画像部位に対して、線切れ防止手段で、線切れ防止の画像処理を行うことにより、入力画像データに対して副走査方向の間引き処理を行う際に発生する横線の線切れを十分に防止し、画像品質を向上させる画像処理装置を提供することを目的としている。
【０００６】
請求項２記載の発明は、線画部検知手段が、判定対象の画像データに対する間引き処理の間引き割合がｍ／ｎ（ただし、ｍ＜ｎ）であると、当該画像データに対して組む画像マトリクスのサイズを、１×ｎサイズとして、当該判定対象の画像データに対する間引き処理の間引き割合に応じて、当該画像データに対して組む画像マトリクスのサイズを変更することにより、画像データに対する間引き処理の間引き割合に対して常に最適なパラメータで線画部の一部であるか否かをより一層正確に検出して、最適なパラメータで線切れ防止処理を行い、より一層画像品質を向上させる画像処理装置を提供することを目的としている。
【０００７】
請求項３記載の発明は、線画部検知手段が、注目画素が線画部の一部であると判定し、かつ、当該注目画素が間引き対象の画素であると、線切れ防止手段が、当該注目画素のデータ値と次ラインの同じ位置の画素のデータ値とを比較し、当該注目画素のデータ値が次ラインの画素のデータ値よりも濃度の濃いデータ値であると、当該次ラインの画素のデータ値を当該注目画素のデータ値で置き換えることにより、横線の一部と判定された画像部位で間引きを行うラインの画像情報を欠損させることなく、間引きを行わないラインに反映する横線線切れ防止処理を行い、より一層画像品質を向上させる画像処理装置を提供することを目的としている。
【０００８】
【課題を解決するための手段】
請求項１記載の発明の画像処理装置は、原稿を読取手段で主走査及び副走査して読み取った当該原稿の画像データをデジタル変換したデジタル画像データに対して、画像処理として、少なくとも当該画像データの副走査方向に画素を間引く間引き処理を施す画像処理装置において、前記間引きを行う際に、前記画像データに対して、１×ｎサイズの画像マトリクスを組んで、当該画像マトリクス内で前記画像データの注目画素を予め設定された上限閾値及び下限閾値と比較して線画のエッジの有無を検出して、当該注目画素が線画部の一部であるか否かを判定する線画部検知手段と、当該線画部検知手段が線画部と判定した画像部位に対して線切れ防止の画像処理を行う線切れ防止手段と、を備えていることにより、上記目的を達成している。
【０００９】
上記構成によれば、原稿を読取手段で主走査及び副走査して読み取った当該原稿の画像データをデジタル変換したデジタル画像データに対して、画像処理として、少なくとも当該画像データの副走査方向に画素を間引く間引き処理を施すに際して、線画部検知手段で、画像データに対して、１×ｎサイズの画像マトリクスを組んで、当該画像マトリクス内で画像データの注目画素を予め設定された上限閾値及び下限閾値と比較して線画のエッジの有無を検出して、当該注目画素が線画部の一部であるか否かを判定し、当該線画部と判定した画像部位に対して、線切れ防止手段で、線切れ防止の画像処理を行うので、入力画像データに対して副走査方向の間引き処理を行う際に発生する横線の線切れを十分に防止することができ、画像品質を向上させることができる。
【００１０】
この場合、例えば、請求項２に記載するように、前記線画部検知手段は、前記判定対象の画像データに対する前記間引き処理の間引き割合がｍ／ｎ（ただし、ｍ＜ｎ）であると、当該画像データに対して組む前記画像マトリクスのサイズを、１×ｎサイズとして、当該判定対象の画像データに対する前記間引き処理の間引き割合に応じて、当該画像データに対して組む前記画像マトリクスのサイズを変更するものであってもよい。
【００１１】
上記構成によれば、線画部検知手段が、判定対象の画像データに対する間引き処理の間引き割合がｍ／ｎ（ただし、ｍ＜ｎ）であると、当該画像データに対して組む画像マトリクスのサイズを、１×ｎサイズとして、当該判定対象の画像データに対する間引き処理の間引き割合に応じて、当該画像データに対して組む画像マトリクスのサイズを変更するので、画像データに対する間引き処理の間引き割合に対して常に最適なパラメータで線画部の一部であるか否かをより一層正確に検出して、最適なパラメータで線切れ防止処理を行うことができ、より一層画像品質を向上させることができる。
【００１２】
また、例えば、請求項３に記載するように、前記線切れ防止手段は、前記線画部検知手段が、注目画素が線画部の一部であると判定し、かつ、当該注目画素が間引き対象の画素であると、当該注目画素のデータ値と次ラインの同じ位置の画素のデータ値とを比較し、当該注目画素のデータ値が次ラインの画素のデータ値よりも濃度の濃いデータ値であると、当該次ラインの画素のデータ値を当該注目画素のデータ値で置き換えるものであってもよい。
【００１３】
上記構成によれば、線画部検知手段が、注目画素が線画部の一部であると判定し、かつ、当該注目画素が間引き対象の画素であると、線切れ防止手段が、当該注目画素のデータ値と次ラインの同じ位置の画素のデータ値とを比較し、当該注目画素のデータ値が次ラインの画素のデータ値よりも濃度の濃いデータ値であると、当該次ラインの画素のデータ値を当該注目画素のデータ値で置き換えるので、横線の一部と判定された画像部位で間引きを行うラインの画像情報を欠損させることなく、間引きを行わないラインに反映する横線線切れ防止処理を行うことができ、より一層画像品質を向上させることができる。
【００１４】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１５】
図１〜図５は、本発明の画像処理装置の一実施の形態を示す図であり、図１は、本発明の画像処理装置の一実施の形態を適用したデジタル複写装置１の概略ブロック構成図である。
【００１６】
図１において、デジタル複写装置１は、読取部２、画像処理部３、画像形成部４、システム制御部５及び操作部６等を備えている。
【００１７】
読取部（読取手段）２は、コンタクトガラス１１、露光ランプ１２、反射ミラー１３〜１５、ＣＣＤ（Ｃｈａｒｇｅ  Ｃｏｕｐｌｅｄ  Ｄｅｖｉｃｅ  ）１６、増幅器１７、Ａ／Ｄ変換器１８、シェーディング補正部１９及びスキャナ制御部２０等を備えており、コンタクトガラス１１上に、読取対象の原稿Ｇがセットされる。
【００１８】
読取部２は、露光ランプ１２と反射ミラー１３が図示しない第１走行体に搭載され、反射ミラー１４と反射ミラー１５が図示しない第２走行体に搭載されて、コンタクトガラス１１に沿って副走査方向に移動しつつ、露光ランプ１２からの光をコンタクトガラス１１上にセットされている原稿Ｇに照射するスキャン露光を行う。この原稿Ｇからの反射光を反射ミラー１３〜１５で順次反射して、ＣＣＤ１６に入射して、ＣＣＤ１６で光電変換することで、コンタクトガラス１１上の原稿Ｇを主走査及び副走査し、光の強弱に応じた画像信号を増幅器１７に出力する。
【００１９】
増幅器１７は、ＣＣＤ１６から入力される画像信号を増幅して、Ａ／Ｄ変換器１８に出力し、Ａ／Ｄ変換器１８は、増幅器１７からの画像信号をＡ／Ｄ変換して、所定ビット、例えば、８ビットのデジタル信号に変換してシェーディング補正部１９に出力する。
【００２０】
シェーディング補正部１９は、原稿読取前に図示しない白基準板を読み取ったときのシェーディング補正データに基づいて、原稿の画像データをシェーディング補正して、画像処理部３に出力する。
【００２１】
スキャナ制御部２０は、システム制御部５の制御下で、上記スキャナプロセスを実行するために、各種センサの検知、駆動モータ等の制御等を行い、また、増幅器１７やＡ／Ｄ変換器１８等に各種パラメータの設定を行う。
【００２２】
画像処理部３は、フィルタ部３１、γ補正部３２及び階調処理部３３等を備えており、フィルタ部３１は、読取部２から入力される画像データに対して、読取部２の光学系によるボケを補正して画像データを鮮鋭化させる補正処理、地肌を除去する地肌除去処理等の各種処理を行って、γ補正部３２に出力する。
【００２３】
γ補正部３２は、画像データを出力する際に、画像形成部４の特性を考慮したテーブルによる変換を行って、操作部６で設定された濃度値に応じた出力の調整を行って階調処理部３３に出力する。
【００２４】
階調処理部３３は、入力される画像が写真画像等の中間調画像の場合に、階調処理を実行して、画像形成部４に出力する。
【００２５】
すなわち、画像処理部３は、少なくとも、読取部２から入力される画像データに対して、画像形成部４での画像形成に合わせて、副走査方向の画素を間引く間引き処理を施して、画像形成部４に出力する。
【００２６】
画像形成部（画像出力手段）４は、感光体４１の周囲に、帯電チャージャ４２、イレーサ４３、書込部４４、現像装置４５、転写前除電ランプ４６、転写チャージャ４７、分離チャージャ４８、クリーニング部４９及び除電ランプ５０が配設されており、さらに、定着部５１、レジストローラ５２、複数、本実施の形態では、４つの給紙トレー５３〜５６及びプロッタ制御部５７等を備え、各給紙トレー５３〜５６には、給紙コロ５３ａ〜５６ａ等の給紙機構が設けられている。
【００２７】
書込部４４には、読取部２で読み取って、画像処理部３で画像処理した原稿Ｇの画像データや図示しないネットワーク等を介して外部からデジタル複写装置１に入力される画像データが入力され、書込部４４は、画像データで変調したレーザ光を感光体４１に照射する。
【００２８】
画像形成部４は、図示しない駆動モータで回転駆動される感光体４１を、帯電チャージャ４２で一様に帯電し、イレーサ４３で、感光体４１の不要な部分の電荷を消去する。書込部４４が、上述のように、画像データによって変調されたレーザ光により露光して、感光体４１に静電潜像を形成し、感光体４１上の静電潜像を現像装置４５によりトナーで現像して顕像化したトナー像を形成し、さらに、感光体４１を回転して転写前除電ランプ４６で除電した後、トナー画像を転写チャージャ４７の位置に搬送する。
【００２９】
一方、画像形成部４は、給紙トレー５３〜５６の１つから給紙コロ５３ａ〜５６ａによって搬送して、レジストローラ５２に転写紙を搬送し、当該レジストローラ５２で待機させている転写紙を、感光体４１の回転とタイミングを図って転写チャージャ４７に搬送し、転写チャージャ４７によって感光体４１上のトナー像を転写紙に静電転写した後、分離チャージャ４８によって転写紙を感光体４１から分離する。
【００３０】
その後、画像形成部４は、転写紙上のトナー像を定着部５１により加熱・加圧して定着し、図示しない排紙コロにより図示しない排紙トレイ上に排紙する。
【００３１】
一方、画像形成部４は、静電転写の完了した感光体４１をさらに回転させて、感光体４１上に残留したトナーを、クリーニング部４９を感光体４１に圧接して感光体４１から除去し、さらに、感光体４１を回転して除電ランプ５０により除電して、次の像形成に供する。
【００３２】
プロッタ制御部５７は、システム制御部５の制御下で、各種センサの検知結果等に基づいて、駆動モータ等の制御を行い、上記像形成プロセスを実行する。
【００３３】
そして、画像処理部３のフィルタ部３１は、図２に示す線切れ処理回路６０を備えており、線切れ処理回路６０は、１×ｎサイズ画像マトリクス生成部６１、閾値比較部６２、線画部判定部６３及び線切れ防止処理部６４等を備えている。
【００３４】
１×ｎサイズ画像マトリクス生成部６１には、読取部２のシェーディング補正部１９からの画像データが入力画像データとして入力され、１×ｎサイズ画像マトリクス生成部６１は、入力画像データに対して、１×ｎサイズの画像マトリクスを組んで閾値比較部６２及び線切れ防止処理部６４に出力する。
【００３５】
閾値比較部６２は、１×ｎサイズ画像マトリクス生成部６１から入力される１×ｎサイズ画像マトリクスを予め設定されている上限閾値Ｔｈ＿ｈ及び下限閾値Ｔｈ＿ｌと比較し、比較結果を線画部判定部６３に出力する。
【００３６】
線画部判定部６３は、図３に示すように、１×ｎサイズのマトリクス内において、以下の条件を満たすか否かの判定を行い、以下の条件を満たす場合には、線画部であると判定し、以下の条件を満たさないときには、線画部ではないと判定して、判定結果を線切れ防止処理部６４に出力する。なお、上記１×ｎサイズ画像マトリクス生成部６１、閾値比較部６２及び線画部判定部６３は、全体として、画像データに対して、１×ｎサイズの画像マトリクスを組んで、当該画像マトリクス内で画像データの注目画素を予め設定された上限閾値及び下限閾値と比較して線画のエッジの有無を検出して、当該注目画素が線画部の一部であるか否かを判定する線画部検知手段として機能している。
【００３７】
条件１
（（Ａ＜Ｔｈ＿ｌ）＆（Ｂ＞Ｔｈ＿ｈ））＆
（（Ｃ＜Ｔｈ＿ｌ）＆（Ｂ＞Ｔｈ＿ｈ））｜（（Ｄ＜Ｔｈ＿ｌ）＆（Ｃ＞Ｔｈ＿ｈ））｜（（Ｅ＜Ｔｈ＿    ｌ）＆（Ｄ＞Ｔｈ＿ｈ））
条件２
（（Ｂ＜Ｔｈ＿ｌ）＆（Ｃ＞Ｔｈ＿ｈ））＆
（（Ｄ＜Ｔｈ＿ｌ）＆（Ｃ＞Ｔｈ＿ｈ））｜（（Ｅ＜Ｔｈ＿ｌ）＆（Ｄ＞Ｔｈ＿ｈ））
条件３
（（Ｃ＜Ｔｈ＿ｌ）＆（Ｄ＞Ｔｈ＿ｈ））＆
（（Ｅ＜Ｔｈ＿ｌ）＆（Ｄ＞Ｔｈ＿ｈ））
そして、線切れ防止処理部６４には、上記１×ｎサイズ画像マトリクス６１からの１×ｎサイズ画像マトリクスと線画部判定部６３からの判定結果が入力され、線切れ防止処理部６４は、線画部と判定された画像部位に対して線切れ防止の画像処理を行う。
【００３８】
次に、本実施の形態の作用を説明する。本実施の形態のデジタル複写装置１は、副走査方向の間引き処理を行う際に発生する横線の線切れを適切に防止する。
【００３９】
すなわち、デジタル複写装置１は、読取部２で露光ランプ１２から原稿Ｇに光を照射して、その反射光を反射ミラー１３〜１５で順次反射させてＣＣＤ１６に入射させて、ＣＣＤ１６で光電変換して原稿Ｇの画像を読み取り、増幅器１７で増幅した後、Ａ／Ｄ変換器１８でデジタル変換して、シェーディング補正部１９でシェーディング補正して、画像処理部３に出力する。
【００４０】
画像処理部３は、読取部２から入力される原稿の画像データをフィルタ部３１で、読取部２から入力される画像データに対して、読取部２の光学系によるボケを補正して画像データを鮮鋭化させる補正処理、地肌を除去する地肌除去処理等の各種処理を行い、γ補正部３２で、画像データを出力する際に、画像形成部４の特性を考慮したテーブルによる変換を行って、操作部６で設定された濃度値に応じた出力の調整を行って階調処理部３３に出力し、さらに、階調処理部３３で、入力される画像が写真画像等の中間調画像の場合に、階調処理を実行して、画像形成部４の書込部４４に出力する。すなわち、画像処理部３は、読取部２から入力される原稿の画像データに、少なくとも、副走査方向に画素を間引く間引き処理を施して画像形成部４に出力する。
【００４１】
そして、画像形成部４は、書込部４４が、画像処理部３から入力される画像データで変調したレーザ光を感光体４１に照射する。
【００４２】
画像形成部４は、この感光体４１を回転駆動させて、帯電チャージャ４２で一様に帯電し、イレーサ４３で、感光体４１の不要な部分の電荷を消去した後、上記書込部４４が、上述のように、画像データによって変調されたレーザ光により露光して、感光体４１に静電潜像を形成し、感光体４１上の静電潜像を現像装置４５によりトナーで現像して顕像化したトナー像を形成し、さらに、感光体４１を回転して転写前除電ランプ４６で除電した後、トナー画像を転写チャージャ４７の位置に搬送する。一方、画像形成部４は、給紙トレー５３〜５６の１つから給紙コロ５３ａ〜５６ａによって搬送して、レジストローラ５２に転写紙を搬送し、当該レジストローラ５２で待機させている転写紙を、感光体４１の回転とタイミングを図って転写チャージャ４７に搬送し、転写チャージャ４７によって感光体４１上のトナー像を転写紙に静電転写した後、分離チャージャ４８によって転写紙を感光体４１から分離する。その後、画像形成部４は、転写紙上のトナー像を定着部５１により加熱・加圧して定着し、図示しない排紙コロにより図示しない排紙トレイ上に排紙する。
【００４３】
そして、上記画像処理部３は、そのフィルタ部３１に、図２に示したように、１×ｎサイズ画像マトリクス生成部６１、閾値比較部６２、線画部判定部６３及び線切れ防止処理部６４等を備えている。
【００４４】
画像処理部３のフィルタ部３１は、その１×ｎサイズ画像マトリクス生成部６１で、読取部２のシェーディング補正部１９からの画像データに対して、１×ｎサイズの画像マトリクスを組んで閾値比較部６２及び線切れ防止処理部６４に出力し、閾値比較部６２が、１×ｎサイズ画像マトリクス生成部６１から入力される１×ｎサイズ画像マトリクスを予め設定されている上限閾値Ｔｈ＿ｈ及び下限閾値Ｔｈ＿ｌと比較して、比較結果を線画部判定部６３に出力する。線画部判定部６３が、図３に示したように、１×ｎサイズのマトリクス内において、上記条件１〜条件３を満たすか否かの判定を行い、条件１〜条件３を満たす場合には、線画部であると判定し、以下の条件を満たさないときには、線画部ではないと判定して、判定結果を線切れ防止処理部６４に出力する。
【００４５】
線切れ防止処理部６４は、上記１×ｎサイズ画像マトリクス６１からの１×ｎサイズ画像マトリクスと線画部判定部６３からの判定結果が入力され、線画部と判定された画像部位に対して線切れ防止の画像処理を行う。
【００４６】
したがって、デジタル複写装置１は、副走査方向の間引き処理を行う際に発生する横線の線切れを適切に防止し、画像品質を向上させることができる。
【００４７】
また、本実施の形態のデジタル複写装置１は、上述のように、１×ｎサイズ画像マトリクス６１で画像マトリクスを生成するが、このマトリクスサイズは、間引きの割合（縮小率）によって自動的に決定するようにしてもよい。
【００４８】
例えば、縮小率５０％の間引きを行う場合には、２画素に１画素を間引く間引きを行うこととなるため、図４（ａ）１×ｎサイズ画像マトリクス６１のマトリクスサイズは、１×２となり、また、縮小率３３％の間引きを行う場合には、３画素に２画素間引く間引きを行うことになるため、図４（ｂ）に示すように、１×ｎサイズ画像マトリクス６１のマトリクスサイズは、１×３となる。また、例えば、縮小率６６％の間引きを行う場合には、３画素に１画素間引く間引きを行うことになるため、図４（ｂ）に示すように、１×ｎサイズ画像マトリクス６１のマトリクスサイズは、１×３となり、以下同様に、ｎ画素にｍ画素間引く間引き処理を行う場合、１×ｎサイズ画像マトリクス６１のマトリクスサイズは、図４（ｃ）に示すように、１×ｎ画素のマトリクスサイズとなる。
【００４９】
したがって、この場合、閾値比較部６２が、１×ｎサイズ画像マトリクス生成部６１から入力される１×ｎサイズ画像マトリクスを予め設定されている上限閾値Ｔｈ＿ｈ及び下限閾値Ｔｈ＿ｌと比較して、比較結果を線画部判定部６３に出力し、線画部判定部６３が、図４に示したように、１×ｎサイズのマトリクス内において、上記条件１〜条件３を満たすか否かの判定を行って、条件１〜条件３を満たす場合には、線画部であると判定し、以下の条件を満たさないときには、線画部ではないと判定して、判定結果を線切れ防止処理部６４に出力する。
【００５０】
なお、上記説明では、１×５サイズのマトリクスに限って説明しているが、各マトリクスサイズにおいても、同様に判定条件を拡張して、各画素値と上限閾値Ｔｈ＿ｈ及び下限閾値Ｔｈ＿ｌとを比較することにより、線画部検知を行うことができる。
【００５１】
さらに、本実施の形態のデジタル複写装置１は、注目画素が線画部の一部であると判定し、注目画素が間引きを行う画素の場合には、横線の一部と判定された画像部位での間引きを行うラインの画像情報を欠損させることなく、間引きを行わないラインに反映する横線線切れ防止処理を行う。
【００５２】
すなわち、図５に示すように、線画部判定部６３が、注目画素が線画部の一部であると判定し、かつ、注目画素が間引きを行う画素である場合、線切れ防止処理部６４は、注目画素のデータ値と注目ラインの次のラインの画素のデータ値とを比較し、注目画素の値が次のラインの画素のデータ値より濃い濃度の値である場合に、次ラインの画像データを注目ラインの画像データ値で置き換える。
【００５３】
したがって、注目画素が間引きラインである場合も横線の画像情報が欠損することなく、次ラインの画像データに反映させることができる。
【００５４】
また、間引きラインが連続する場合には、間引かれた画素の中から一番大きい値の画素が、間引かれないラインの画像データ値に反映されることになる。
【００５５】
したがって、連続してライン間引きを行った場合も、間引かれないラインの画像データとして、画像情報を保存することができる。
【００５６】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５７】
【発明の効果】
請求項１記載の発明の画像処理装置によれば、原稿を読取手段で主走査及び副走査して読み取った当該原稿の画像データをデジタル変換したデジタル画像データに対して、画像処理として、少なくとも当該画像データの副走査方向に画素を間引く間引き処理を施すに際して、線画部検知手段で、画像データに対して、１×ｎサイズの画像マトリクスを組んで、当該画像マトリクス内で画像データの注目画素を予め設定された上限閾値及び下限閾値と比較して線画のエッジの有無を検出して、当該注目画素が線画部の一部であるか否かを判定し、当該線画部と判定した画像部位に対して、線切れ防止手段で、線切れ防止の画像処理を行うので、入力画像データに対して副走査方向の間引き処理を行う際に発生する横線の線切れを十分に防止することができ、画像品質を向上させることができる。
【００５８】
請求項２記載の発明の画像処理装置によれば、線画部検知手段が、判定対象の画像データに対する間引き処理の間引き割合がｍ／ｎ（ただし、ｍ＜ｎ）であると、当該画像データに対して組む画像マトリクスのサイズを、１×ｎサイズとして、当該判定対象の画像データに対する間引き処理の間引き割合に応じて、当該画像データに対して組む画像マトリクスのサイズを変更するので、画像データに対する間引き処理の間引き割合に対して常に最適なパラメータで線画部の一部であるか否かをより一層正確に検出して、最適なパラメータで線切れ防止処理を行うことができ、より一層画像品質を向上させることができる。
【００５９】
請求項３記載の発明の画像処理装置によれば、線画部検知手段が、注目画素が線画部の一部であると判定し、かつ、当該注目画素が間引き対象の画素であると、線切れ防止手段が、当該注目画素のデータ値と次ラインの同じ位置の画素のデータ値とを比較し、当該注目画素のデータ値が次ラインの画素のデータ値よりも濃度の濃いデータ値であると、当該次ラインの画素のデータ値を当該注目画素のデータ値で置き換えるので、横線の一部と判定された画像部位で間引きを行うラインの画像情報を欠損させることなく、間引きを行わないラインに反映する横線線切れ防止処理を行うことができ、より一層画像品質を向上させることができる。
【図面の簡単な説明】
【図１】本発明の画像処理装置の一実施の形態を適用したデジタル複写機の概略ブロック構成図。
【図２】図１の画像処理部のフィルタ部に組み込まれている線切れ処理回路の回路ブロック図。
【図３】図２の線切れ防止処理部のマトリックスの一例としての１×５サイズのマトリクスを示す図。
【図４】図３の１×ｎのマトリクスの１／２間引き時のマトリクス（ａ）、２／３、１／３間引き時のマトリクス（ｂ）及びｍ／ｎ間引き時のマトリクス（ｃ）を示す図。
【図５】図２の線切れ処理回路での注目画素が線画部の一部であると判定し、かつ、注目画素が間引きを行う画素であって、注目画素の値が次のラインの画素のデータ値より濃い濃度の値である場合に、次ラインの画像データを注目ラインの画像データ値で置き換えて横線線切れ防止の説明図。
【符号の説明】
１  画像形成装置
２  読取部
３  画像処理部
４  画像形成部
５  システム制御部
６  操作部
１１  コンタクトガラス
１２  露光ランプ
１３〜１５  反射ミラー
１６  ＣＣＤ
１７  増幅器
１８  Ａ／Ｄ変換器
１９  シェーディング補正部
２０  スキャナ制御部
３１  フィルタ部
３２  γ補正部
３３  階調処理部
４１  感光体
４２  帯電チャージャ
４３  イレーサ
４４  書込部
４５  現像装置
４６  転写前除電ランプ
４７  転写チャージャ
４８  分離チャージャ
４９  クリーニング部
５０  除電ランプ
５１  定着部
５２  レジストローラ
５３〜５６  給紙トレー
５３ａ〜５６ａ  給紙コロ
５７  プロッタ制御部
６０  線切れ処理回路
６１  １×ｎサイズ画像マトリクス生成部
６２  閾値比較部
６３  線画部判定部
６４  線切れ防止処理部
Ｇ  原稿
【図１】
2005027017.tif 000003
【図２】
2005027017.tif 000004
【図３】
2005027017.tif 000005
【図４】
2005027017.tif 000006
【図５】
2005027017.tif 000007